【手続補正書】
【提出日】平成27年1月29日(2015.1.29)
【手続補正１】
【補正対象書類名】特許請求の範囲
【補正対象項目名】全文
【補正方法】変更
【補正の内容】
【特許請求の範囲】
【請求項１】
センサーデータを配信するための方法であって、
要求元機器が、第１センサー収集可能データにアクセスすることを認証され、前記第１センサー収集可能データへのアクセス要求は、ルーティング情報を含み、且つ前記ルーティング情報は前記要求元機器とは異なるセンサーデータホストを示す場合に、少なくとも一つの荷物に関連付けられた第１センサー収集可能データへの前記アクセス要求を前記要求元機器から受信するステップと、
前記第１センサー収集可能データへのアクセスの禁止に関連付けられた位置を示す第２センサー収集可能データに少なくとも部分的に基づいた前記第１センサー収集可能データへの前記アクセス要求を拒否するか否か判定するステップと、
を含む方法。
【請求項２】
前記要求元機器がセンサーを含む、請求項１に記載の方法。
【請求項３】
前記第２センサー収集可能データが、前記要求元機器の前記センサーにより収集される、請求項２に記載の方法。
【請求項４】
前記第１センサー収集可能データのアクセスを禁止している管轄区域に前記要求元機器が位置していることに基づいて、前記アクセス要求を拒否するステップをさらに含む、請求項１に記載の方法。
【請求項５】
センサー機器が前記少なくとも一つの荷物の近接に位置している場合に、前記センサー機器にて前記第１センサー収集可能データを収集するステップと、
前記センサー機器にて前記第２センサー収集可能データを収集するステップと、
をさらに含む方法である、請求項１に記載の方法。
【請求項６】
前記第１センサー収集可能データに対する前記要求元機器を認証するために、ネットワークを介して、認証ホストにアクセスするステップをさらに含む、請求項１に記載の方法。
【請求項７】
前記第１センサー収集可能データに対して前記要求元機器を認証するために、ローカルに予め設定されたリストにアクセスするステップをさらに含む、請求項１に記載の方法。
【請求項８】
前記アクセス要求が許可される場合に、前記方法が、
前記第１センサー収集可能データを、前記ルーティング情報に従って、前記センサーデータホストに送信するステップをさらに含む、請求項１に記載の方法。
【請求項９】
前記第１センサー収集可能データが、前記少なくとも一つの荷物の環境条件を記述する、請求項１に記載の方法。
【請求項１０】
プロセッサが実行するときに、前記プロセッサにセンサーデータを配信するための方法を実行させるプログラム命令を格納している持続性のコンピュータ読み取り可能な媒体であって、前記方法が、
要求元機器が第１センサー収集可能データにアクセスすることを認証され、前記第１センサー収集可能データへのアクセス要求は、ルーティング情報を含み、且つ前記ルーティング情報は前記要求元機器とは異なるセンサーデータホストを示す場合に、少なくとも一つの荷物に関連付けられた前記第１センサー収集可能データへの前記アクセス要求を前記要求元機器から受信するステップと、
前記第１センサー収集可能データへのアクセスの禁止に関連付けられた位置を示す第２センサー収集可能データに少なくとも部分的に基づいた前記第１センサー収集可能データへの前記アクセス要求を拒否するか否か判定するステップと、
を含む方法である、コンピュータ読み取り可能な媒体。
【請求項１１】
前記要求元機器がセンサーを含む、請求項１０に記載のコンピュータ読み取り可能な媒体。
【請求項１２】
前記第２センサー収集可能データが前記要求元機器の前記センサーによって収集される、請求項１１に記載のコンピュータ読み取り可能な媒体。
【請求項１３】
前記方法が、
前記第１センサー収集可能データのアクセスを禁止する管轄区域に前記要求元機器が位置していることに基づいて、前記アクセス要求を拒否するステップをさらに含む、請求項１０に記載のコンピュータ読み取り可能な媒体。
【請求項１４】
前記方法が、
センサー機器が、前記少なくとも一つの荷物の近接に位置するときに、前記センサー機器にて、前記第１センサー収集可能データを収集するステップと、
前記センサー機器にて、前記第２センサー収集可能データを収集するステップと、
をさらに含む、請求項１０に記載のコンピュータ読み取り可能な媒体。
【請求項１５】
前記方法が、
前記第１センサー収集可能データに対して前記要求元機器を認証するために、ネットワークを介して、認証ホストにアクセスするステップをさらに含む、請求項１０に記載のコンピュータ読み取り可能な媒体。
【請求項１６】
前記方法が
前記第１センサー収集可能データに対して前記要求元機器を認証するために、ローカルに予め設定されたリストにアクセスするステップをさらに含む、請求項１０に記載のコンピュータ読み取り可能な媒体。
【請求項１７】
前記アクセス要求が許可される場合に、前記方法が、
前記ルーティング情報に従って、前記第１センサー収集可能データを前記センサーデータホストに送信するステップをさらに含む、請求項１０に記載のコンピュータ読み取り可能な媒体。
【請求項１８】
前記第１センサー収集可能データが前記少なくとも一つの荷物の環境条件を記述する、請求項１０に記載の方法。
【請求項１９】
センサーデータを配信するための機器であって、
要求元機器が第１センサー収集可能データにアクセスする認証を受け、前記第１センサー収集可能データへのアクセス要求は、ルーティング情報を含み、且つ前記ルーティング情報は前記要求元機器とは異なるセンサーデータホストを示す場合に、少なくとも一つの荷物に関連付けられた前記第１センサー収集可能データへの前記アクセス要求を前記要求元機器から受信するように構成された入出力部と、
前記第１センサー収集可能データへのアクセスの禁止に関連付けられた位置を示す第２センサー収集可能データに少なくとも部分的に基づいた前記第１センサー収集可能データへの前記アクセス要求を拒否するか否か判定するように構成されたプロセッサと、
を備える機器。
【請求項２０】
前記要求元機器がセンサーを含む、請求項１９に記載の機器。
【請求項２１】
前記第２センサー収集可能データが前記要求元機器の前記センサーにより収集される、請求項２０に記載の機器。
【請求項２２】
前記プロセッサが、
前記要求元機器が、前記第１センサー収集可能データへのアクセスを禁止する管轄区域に位置していることに基づいて、前記アクセス要求を拒否するようにさらに構成された、請求項１９に記載の機器。
【請求項２３】
前記少なくとも一つの荷物の近接にある前記第１センサー収集可能データを収集し、
前記第２センサー収集可能データを収集するように構成された検出部をさらに備える、請求項１９に記載の機器。
【請求項２４】
前記入出力部が、
前記第１センサー収集可能データに対して、前記要求元機器を認証するために、ネットワークを介して、認証ホストにアクセスするようにさらに構成された、請求項１９に記載の機器。
【請求項２５】
前記プロセッサが、
前記第１センサー収集可能データに対して、前記要求元機器を認証するためにローカルに予め設定されたリストにアクセスするようにさらに構成された、請求項１９に記載の機器。
【請求項２６】
前記アクセス要求が許可される場合、前記プロセッサが
前記ルーティング情報に従って、前記第１センサー収集可能データを前記センサーデータホストに前記入出力部から送信するようにさらに構成された、請求項１９に記載の機器。
【請求項２７】
前記第１センサー収集可能データが前記少なくとも一つの荷物の環境条件を記述する、請求項１９に記載の機器。